(57)【要約】【課題】従来の、注ぐ時に蓋の落ちないようにした蓋付容器の多くが、蓋の嵌合をきつくしたりして蓋の落下を防いでいるために、力を加えて蓋の脱着をしなければならず、或いは特別な動作をしなければならず面倒であり、力の弱いお年寄や体の不自由な方達には不便である。【解決手段】取手の柄４の根元側に容器３を装飾し、かつ、蓋２を支える役目をする飾り１を取付け、この飾り１が重力に従って一定範囲内を動き或いは移動し、そして又重力に従って元の位置に戻る構成にした。これにより注ぐために容器３を傾けると、飾り１が重力に従って蓋２の方向へ移動し、蓋２に干渉して押し支え、蓋２の落下を防ぐので便利であり、しかも飾り１の可愛さで容器３を使う人の心をなごませてくれる。【選択図】図１
0003113359.tif 000002
【実用新案登録請求の範囲】
【請求項１】
取手の柄の根元側に、容器を装飾する飾りを取付けた蓋付容器であって、この飾りが重力に従って一定範囲内を動き、或いは移動し、そして重力に従って又元の位置に戻る構成にして、注ぐために容器を傾けると、飾りが重力に従い蓋の方向に移動して、蓋に干渉するようにしたもの。
【考案の詳細な説明】
【技術分野】
【０００１】  本考案は、注ぐ時に容器を傾けても蓋が落ちないようにした蓋付容器に関する。
【背景技術】
【０００２】  従来の、注ぐ時に蓋の落ちないようにした蓋付容器には、蓋の嵌合いを、きつくしたものがある。【０００３】  又、蓋に形状記憶合金製のロック部材を取付けたものもある。【０００４】  更に、磁石の吸着力で蓋を保持する方式のものなどがある。【０００５】
【実用新案文献１】
平０５−４４０１８【特許文献１】  平１０−３２８０２９
【実用新案文献２】
平０５−５６０２６
【実用新案文献３】
平１０−３０５２５２６号
【考案の開示】
【考案が解決しようとする課題】
【０００６】  解決しようとする問題点は、注ぐ時に容器を傾けても蓋の落ちないようにした従来の蓋付容器の多くが、蓋の嵌合いを、きつくしているために力を加えて蓋の脱着をしなければならず面倒であり、力の弱いお年寄りや体の不自由な方達には使いにくく不便である。【０００７】  又、形状記憶合金製のロック部材を取付けたものは、冷めた麦茶や常温の水を入れて注ぐ場合には、蓋のロックが働かないので容器を傾けると、蓋は落ちてしまう欠点がある。【０００８】  そして磁石の吸着力で蓋を保持する方式のものは、磁気の関係で容器の材質が制限されたり、磁力で余分なものまで吸着する恐れもある。【０００９】  それから蓋の脱着に際し、蓋を横に回したり或いは斜めにしたり、特別な動作をして蓋を保持するもの等もあるが面倒である。【０００１０】  本考案は、この様な従来の蓋付容器が有している問題点を解決しようとするものであり、蓋の脱着に際して余分な力を加える必要がなく、蓋の持ち上げ、持ち下げ以外に特別な動作をする必要もなく、熱湯にも冷水にも使えて、注ぐ時に何もしなくても蓋の落下が防げる便利さに加え【００１１】  容器に可愛さを備えさせて、蓋付容器を楽しく使えるようにするために、なされたものである。
【課題を解決するための手段】
【００１２】  そして本考案は、上記目的を達成するため取手の柄４の根元側に容器３を装飾し、かつ、蓋２を押し支えて落下を防ぐ役目をする飾り１を取付け、この飾り１が重力に従って一定範囲内を、傾き又は回転し、或いはスライドしたり動き、もしくは移動し、そして重力に従って又元の位置に戻る構成にして、注ぐために容器３を傾けると、飾り１が重力に従って蓋２の方向に移動し、蓋２に干渉して押し支え、落下を防ぐようにした。【００１３】  こうすることにより、注ぐ時に容器３が傾いても自然に飾り１が蓋２を押し支えて落下を防ぎ、そして容器を可愛く飾る。
【考案の効果】
【００１４】  上述したように本考案の、容器を装飾して蓋を支える役目もする飾りを取付けた蓋付容器は、熱湯にも冷水にも温度に関係なく使えて、しかも蓋の嵌合いが、きつくないので蓋の脱着に余分な力は要らず、蓋の持ち上げ、持ち下げ以外の特別な動作も必要なく、注ぐ時に何もしなくても自然に飾りが蓋を支えるので、手で蓋を押える必要はなく便利に使える。【００１５】  これは片手で簡単に取扱いができるので、力の弱いお年寄や体の不自由な方達に、介護用としても使って頂くことができる。【００１６】  そして飾りの可愛さで容器を飾り、使う人の心をなごませてくれる。【００１７】  この飾りは、動物や植物の生物と無生物とを問わず、色色な物の形にすることができるので、様様な好みの飾りにして提供することが可能である。
【考案を実施するための最良の形態】
【００１８】  以下、本考案の実施の形態を図に基づいて説明する。【００１９】  蓋付容器の取手の柄４の根元側に、容器３を装飾する飾り１を取付けている。（図１と図２参照）【００２０】  この飾り１は、重力に従って一定範囲内を傾き又は動き、或いは移動し、そして又、重力に従って元の位置に戻る構成にしている。【００２１】  こうすることにより、注ぐために容器３を傾けると、飾り１が重力に従って傾き動いて蓋２の方向に移動し、飾り１が蓋２に干渉するので蓋２は、押し支えられて落ちなくなる。（図３参照）【００２２】  尚この蓋を支える飾り１は、犬などの動物やカボチャなどの野菜や、イヤリングとかキーホルダーの類など、様々な種類の形にしてもよく、【００２３】  それに蓋付容器も、ヤカンの類や急須の類や水差しの類や或いは、これらを組み合わせたもの等、色色な形のものにしてもよい。（図４乃至図８参照）
【図面の簡単な説明】
【００２４】
【図１】本考案の側面図
【図２】背面図
【図３】注ぐために容器を傾けた時の側面図で、一部を断面図にて示す
【図４】図１乃至図３とは別の形の例による場合の斜視図
【図５】図４の形の例による場合で、注ぐために容器を傾けた時の側面図で、一部を断面図にて示す
【図６】図１乃至図５とは別の形の例による場合で、蓋を持ち上げた状態の斜視図
【図７】図６の形の例による場合で、注ぐために容器を傾けた時の側面図で、一部を断面図にて示す
【図８】図１乃至図７とは別の形の例による場合で、注ぐために容器を傾けた時の側面図で、一部を断面図にて示す
【符号の説明】
【００２５】１  蓋を支える飾り
２  蓋
３  容器本体
４  取手の柄
５  吊り
６  ストッパー
【図１】
0003113359.tif 000003
【図２】
0003113359.tif 000004
【図３】
0003113359.tif 000005
【図４】
0003113359.tif 000006
【図５】
0003113359.tif 000007
【図６】
0003113359.tif 000008
【図７】
0003113359.tif 000009
【図８】
0003113359.tif 000010
【手続補正書】
【提出日】平成17年5月19日(2005.5.19)
【手続補正１】
【補正対象書類名】図面
【補正対象項目名】全図
【補正方法】変更
【補正の内容】
【図１】
0003113359.tif 000011
【図２】
0003113359.tif 000012
【図３】
0003113359.tif 000013
【図４】
0003113359.tif 000014
【図５】
0003113359.tif 000015
【図６】
0003113359.tif 000016
【図７】
0003113359.tif 000017
【図８】
0003113359.tif 000018